(57)【要約】【課題】    小型化を図れかつ、製造コストの低減を図れる光学部品用筐体、光学装置、およびプロジェクタを提供する。【解決手段】光学部品用筐体は、複数の光学部品が設置される下部筐体と、この下部筐体を閉塞する蓋状の上部筐体４７２と、入射側偏光板および視野角補正板を保持し、下部筐体内の所定位置に設置する光学部品保持枠４４６とを備える。上部筐体４７２の上面には、光学部品保持枠４４６を回動可能に支持する光学部品保持枠支持面４４７１Ａが形成されている。光学部品保持枠４４６は、入射側偏光板を保持する偏光板保持枠４４６１と、視野角補正板を保持する補正板保持枠４４６２とを備える。そして、偏光板保持枠４４６１は、上部筐体４７２の光学部品保持枠支持面４４７１Ａ上を摺動するように構成されているとともに、補正板保持枠４４６２を回動可能に支持する回転案内面４４６１Ｂ２を有している。【選択図】 図９
2005121880.tif 000002
【特許請求の範囲】
【請求項１】
内部に光源から射出された光束の照明光軸が設定され、複数の光学部品を収納して前記照明光軸上の所定位置に配置する光学部品用筐体であって、
前記複数の光学部品が設置される下部筐体と、前記下部筐体を閉塞する蓋状の上部筐体と、前記複数の光学部品のうちの少なくともいずれかを保持し、前記下部筐体内の所定位置に前記光学部品を設置する光学部品保持枠とを備え、
前記上部筐体の上面には、前記光束の照明光軸を中心とする円弧状の曲面として構成され、前記光学部品保持枠を回動可能に支持する光学部品保持枠支持面が形成され、
前記光学部品保持枠は、前記複数の光学部品のうちのいずれかの光学部品を保持する第１保持枠と、前記第１保持枠に保持される光学部品に近接配置される光学部品を保持する第２保持枠とを備え、
前記第１保持枠および前記第２保持枠のうちのいずれか一方の保持枠は、前記上部筐体の光学部品保持枠支持面上を摺動するように構成されているとともに、前記光束の照明光軸を中心とする円弧状の曲面として構成され、他方の保持枠を回動可能に支持する回転案内面を有していることを特徴とする光学部品用筐体。
【請求項２】
請求項１に記載の光学部品用筐体において、
前記一方の保持枠には、前記上部筐体の光学部品保持枠支持面と当接し、保持した光学部品の光束入射方向を軸として該光学部品を回動させる第１曲面が形成され、
前記回転案内面は、前記第１曲面に対向する端面に形成されていることを特徴とする光学部品用筐体。
【請求項３】
請求項１または請求項２に記載の光学部品用筐体において、
前記他方の保持枠には、前記一方の保持枠の回転案内面と当接し、保持した光学部品の光束入射方向を軸として該光学部品を回動させる第２曲面が形成されていることを特徴とする光学部品用筐体。
【請求項４】
請求項１から請求項３のいずれかに記載の光学部品用筐体において、
前記第１保持枠および前記第２保持枠には、回動方向に沿って延び、少なくとも一部が互いに平面的に干渉する長孔がそれぞれ形成され、
前記上部筐体の光学部品保持枠支持面には、前記各長孔を介して挿通され前記第１保持枠および前記第２保持枠の双方を固定する固定部材が取り付けられる固定部材取付部が形成されていることを特徴とする光学部品用筐体。
【請求項５】
請求項４に記載の光学部品用筐体において、
前記固定部材は、螺合構造により前記固定部材取付部に取り付けられることを特徴とする光学部品用筐体。
【請求項６】
請求項１から請求項５のいずれかに記載の光学部品用筐体において、
前記上部筐体の上面には、前記光学部品の位置を調整する棒状の調整部材の先端を支持し、前記調整部材が移動する際の支点となる調整部材先端支持部が形成され、
前記一方の保持枠には、前記調整部材が挿通され、前記調整部材の側面と当接する切り欠きが形成されていることを特徴とする光学部品用筐体。
【請求項７】
請求項１から請求項６のいずれかに記載の光学部品用筐体において、
前記他方の保持枠には、上方に向けて突出し、前記他方の保持枠を前記一方の保持枠の回転案内面上を摺動させるための移動操作部が形成されていることを特徴とする光学部品用筐体。
【請求項８】
光源から射出された光束の光路上に配置される複数の光学部品と、前記複数の光学部品を内部に収納する、請求項１から請求項７のいずれかに記載の光学部品用筐体とを備えていることを特徴とする光学装置。
【請求項９】
請求項８に記載の光学装置において、
前記複数の光学部品は、光源から射出された光束を画像情報に応じて変調する光変調装置と、入射する光束の偏光軸を変換する偏光板と、前記光変調装置から射出される光束の視野角を拡大する光学補償手段とを含んで構成され、
前記光学部品保持枠は、前記偏光板および前記光学補償手段を保持することを特徴とする光学装置。
【請求項１０】
光源と、前記光源から射出された光束を画像情報に応じて変調して光学像を形成する光変調装置と、前記光変調装置で形成された光学像を拡大投射する投射光学装置とを備えたプロジェクタであって、
請求項８または請求項９に記載の光学装置を備えていることを特徴とするプロジェクタ。
【発明の詳細な説明】
【技術分野】
【０００１】
本発明は、光学部品用筐体、光学装置、およびプロジェクタに関する。
【背景技術】
【０００２】
従来、会議、学会、展示会等でのプレゼンテーションにプロジェクタを用いることが知られている。このようなプロジェクタは、その内部に複数の光学部品を収容し、これらの光学部品を用いることにより、光源から射出された光束を変調した後に拡大投射して投射画像を形成している。
このような光学部品としては、光源から射出された光束を変調する光変調素子と、この光変調素子を挟むように配置される入射側偏光板および射出側偏光板とが用いられている。
ここで、入射側偏光板および射出側偏光板は、光変調素子に入射する偏光方向を制御するとともに、光変調素子から射出される光束の偏光方向を制御するものであり、それぞれの偏光軸が直交するように配置される。このような構成により、投射画像の高いコントラストを実現している。
このため、従来では、入射側偏光板および射出側偏光板の偏光軸同士のなす角度を調整するための調整機構を備えたプロジェクタが知られている（例えば、特許文献１参照）。
この調整機構は、光学部品を収容する光学部品用筐体とは独立して設けられ、光学部品用筐体の所定位置に設置される。そして、光学部品用筐体の上面に形成された孔を介して調整機構を操作することにより、照明光軸と直交する面内で射出側偏光板に対する入射側偏光板の姿勢調整が実施される。
【０００３】
【特許文献１】特開２０００−２５９０９３号公報
【発明の開示】
【発明が解決しようとする課題】
【０００４】
近年において、光変調素子毎の視野角を調整し、光変調素子毎に生じる視野角依存性による画面ムラを抑制して、色むらのない投射画像を形成するために、光学部品として位相差板または視野角補正板等を用いる構成も利用されている。このような位相差板または視野角補正板等は、照明光軸上において、例えば、入射側偏光板または射出側偏光板と、光変調素子との間に配置される。
このような入射側偏光板、位相差板または視野角補正板、および射出側偏光板等の種々の光学部品に特許文献１に記載の調整機構を採用した場合には、それぞれの光学部品に対応して調整機構を設ける必要があり、光学部品用筐体内に広いスペースが必要となってしまう。このため、光学部品用筐体が大型化し、プロジェクタの小型化を阻害してしまう。
また、各調整機構を光学部品用筐体に取り付けるためには、光学部品用筐体内に各調整機構に対応する複数の取付部の形成、または、各調整機構を光学部品用筐体に固定するための例えばねじ等の複数の固定部材を必要とする。このため、複数の取付部の形成、複数の固定部材の必要性によりプロジェクタの製造コストの低減を図りにくい。
【０００５】
本発明の目的は、このような点に鑑みて、小型化を図れかつ、製造コストの低減を図れる光学部品用筐体、光学装置、およびプロジェクタを提供することにある。
【課題を解決するための手段】
【０００６】
本発明の光学部品用筐体は、内部に光源から射出された光束の照明光軸が設定され、複数の光学部品を収納して前記照明光軸上の所定位置に配置する光学部品用筐体であって、前記複数の光学部品が設置される下部筐体と、前記下部筐体を閉塞する蓋状の上部筐体と、前記複数の光学部品のうちの少なくともいずれかを保持し、前記下部筐体内の所定位置に前記光学部品を設置する光学部品保持枠とを備え、前記上部筐体の上面には、前記光束の照明光軸を中心とする円弧状の曲面として構成され、前記光学部品保持枠を回動可能に支持する光学部品保持枠支持面が形成され、前記光学部品保持枠は、前記複数の光学部品のうちのいずれかの光学部品を保持する第１保持枠と、前記第１保持枠に保持される光学部品に近接配置される光学部品を保持する第２保持枠とを備え、前記第１保持枠および前記第２保持枠のうちのいずれか一方の保持枠は、前記上部筐体の光学部品保持枠支持面上を摺動するように構成されているとともに、前記光束の照明光軸を中心とする円弧状の曲面として構成され、他方の保持枠を回動可能に支持する回転案内面を有していることを特徴とする。
【０００７】
ここで、光学部品としては、種々のものを採用でき、例えば、偏光板、位相差板、光学補償手段（視野角補正板、色補正膜等）等を採用できる。
本発明では、光学部品用筐体は、下部筐体と、上面に光学部品保持枠支持面が形成された上部筐体と、第１保持枠および第２保持枠から構成される光学部品保持枠とを備える。そして、第１保持枠および第２保持枠のうちのいずれか一方の保持枠は、上部筐体の光学部品保持枠支持面上を摺動するように構成されているとともに、他方の保持枠を回動可能に支持する回転案内面を有している。このことにより、光学部品保持枠を構成する第１保持枠および第２保持枠は、一方の保持枠に形成された回転案内面を介して一体的に構成され、複数の光学部品のうち近接配置される２つの光学部品を保持できる。したがって、従来のように２つの調整機構にそれぞれ２つの光学部品を独立して保持させる構成と比較して、光学部品用筐体内部にそれほど広いスペースを必要とせず、光学部品用筐体の小型化を図れる。
また、一方の保持枠に対して他方の保持枠を固定する構成とすれば、例えば、上部筐体または下部筐体に一方の保持枠用の取付部のみを形成しておけばよく、他方の保持枠用の取付部を上部筐体または下部筐体に形成する必要がない。また、一方の保持枠に対して他方の保持枠を接着固定等により固定する構成とすれば、光学部品保持枠を上部筐体または下部筐体に固定するための固定部材も、一方の保持枠用の固定部材のみでよく、他方の保持枠用の固定部材を省略できる。したがって、取付部および固定部材を適宜省略でき、プロジェクタの製造コストの低減を図れる。
【０００８】
本発明の光学部品用筐体では、前記一方の保持枠には、前記上部筐体の光学部品保持枠支持面と当接し、保持した光学部品の光束入射方向を軸として該光学部品を回動させる第１曲面が形成され、前記回転案内面は、前記第１曲面と対向する端面に形成されていることが好ましい。
本発明によれば、一方の保持枠には、上部筐体の光学部品保持枠支持面に対応して第１曲面が形成されているので、一方の保持枠を上部筐体の光学部品保持枠支持面に沿って回動でき、一方の保持枠に保持される光学部品の位置調整を簡単な構造で容易にかつ、高精度に実施できる。
また、回転案内面は、第１曲面と対向する端面に形成されているので、例えば、一方の保持枠の一部を、光束の照明光軸を中心として湾曲した形状とすれば、湾曲状内側端面を第１曲面とし、湾曲状外側端面を回転案内面とすることができ、一方の保持枠の製造を容易に実施できる。
さらに、上部筐体の上面に光学部品保持枠支持面が形成され、一方の保持枠において、該光学部品保持枠支持面に当接する第１曲面に対向する端面に回転案内面が形成されているので、上部筐体の上方から該上部筐体に対して一方の保持枠の設置を容易に実施できるとともに、一方の保持枠の上方から該一方の保持枠に対して他方の保持枠の設置も容易に実施できる。したがって、上部筐体に対する光学部品保持枠の着脱を容易に実施でき、光学部品保持枠に保持される光学部品の交換等を容易に実施できる。
【０００９】
本発明の光学部品用筐体では、前記他方の保持枠には、前記一方の保持枠の回転案内面と当接し、保持した光学部品の光束入射方向を軸として該光学部品を回動させる第２曲面が形成されていることが好ましい。
本発明によれば、他方の保持枠には、一方の保持枠の回転案内面に対応して第２曲面が形成されているので、他方の保持枠を一方の保持枠の回転案内面に沿って回動でき、他方の保持枠に保持される光学部品の位置調整を簡単な構造で容易にかつ、高精度に実施できる。
【００１０】
本発明の光学部品用筐体では、前記第１保持枠および前記第２保持枠には、回動方向に沿って延び、少なくとも一部が互いに平面的に干渉する長孔がそれぞれ形成され、前記上部筐体の光学部品保持枠支持面には、前記各長孔を介して挿通され前記第１保持枠および前記第２保持枠の双方を固定する固定部材が取り付けられる固定部材取付部が形成されていることが好ましい。
本発明では、第１保持枠および第２保持枠には、それぞれ長孔が形成され、各長孔は、少なくとも一部が互いに平面的に干渉する。また、上部筐体の光学部品保持枠支持面には、各長孔を介して挿通される固定部材が取り付けられる固定部材取付部が形成されている。このことにより、第１保持枠および第２保持枠の双方を、単一の固定部材により固定することができ、必要とする固定部材の数量を低減してプロジェクタの製造コストの低減を図れるとともに、各保持枠の回動に応じた光学部品の最適な位置で上部筐体に各保持枠を固定できる。
【００１１】
本発明の光学部品用筐体では、前記固定部材は、螺合構造により前記固定部材取付部に取り付けられることが好ましい。
本発明によれば、固定部材は、螺合構造により固定部材取付部に取り付けられているので、例えば、光学部品保持枠に保持される光学部品のうちの少なくともいずれかの光学部品が照明光軸上の所定位置からずれた場合であっても、固定部材の螺合状態を緩めることで前記光学部品の位置を容易に修正できる。また、固定部材を緩めて取り外すだけで前記光学部品の交換等を実施でき、各保持枠の着脱を容易に実施できる。したがって、各保持枠が接着剤等で接着固定される構成と比較して、上部筐体に対する各保持枠の着脱を容易かつ迅速に実施できる。
また、各保持枠に長孔がそれぞれ形成されているので、各光学部品の位置調整を実施する際に、固定部材の螺合状態を緩めた状態で実施でき、各光学部品の位置調整を容易に実施できるとともに、位置調整後の固定を容易かつ確実に実施できる。
【００１２】
本発明の光学部品用筐体では、前記上部筐体の上面には、前記光学部品の位置を調整する棒状の調整部材の先端を支持し、前記調整部材が移動する際の支点となる調整部材先端支持部が形成され、前記一方の保持枠には、前記調整部材が挿通され、前記調整部材の側面と当接する切り欠きが形成されていることが好ましい。
ここで、調整部材としては、棒状であればよく、例えば、ドライバ等の工具等を採用できる。
本発明によれば、上部筐体には、調整部材先端支持部が形成され、一方の保持枠には、切り欠きが形成されているので、例えば、ドライバ等の調整部材を一方の保持枠の切り欠きに挿通して調整部材の先端を調整部材先端支持部に支持させ、調整部材先端支持部を中心として調整部材を移動することで、調整部材の側面と切り欠きの側面とが当接し、調整部材の移動方向に一方の保持枠を移動でき、一方の保持枠を光学部品保持枠支持面上で摺動させることができる。すなわち、一方の保持枠を回動させ、該一方の保持枠に保持される光学部品の位置調整を容易に実施できる。また、一方の保持枠を移動させるために、専用の光軸調整治具を用いなくても、容易に光学部品の位置調整を実施できる。
【００１３】
本発明の光学部品用筐体では、前記他方の保持枠には、上方に向けて突出し、前記他方の保持枠を前記一方の保持枠の回転案内面上を摺動させるための移動操作部が形成されていることが好ましい。
本発明によれば、他方の保持枠には、移動操作部が形成されているので、例えば、移動操作部を手で掴み、移動操作部を移動させることで、他方の保持枠を回転案内面上で摺動させることができる。すなわち、他方の保持枠を回動させ、該他方の保持枠に保持される光学部品の位置調整を容易に実施できる。したがって、他方の保持枠を移動させるために、専用の光軸調整治具を用いなくても、容易に光学部品の位置調整を実施できる。
【００１４】
本発明の光学装置は、光源から射出された光束の光路上に配置される複数の光学部品と、前記複数の光学部品を内部に収納する、上述した光学部品用筐体とを備えていることを特徴とする。
本発明によれば、光学装置は、上述した光学部品用筐体を備えているので、上述した光学部品用筐体と同様の作用・効果を享受できる。
また、光学装置は、光学部品の位置調整可能な光学部品用筐体を備えているので、各光学部品の相互の位置ずれを回避し、良好な光学像を形成できる。
【００１５】
本発明の光学装置では、前記複数の光学部品は、光源から射出された光束を画像情報に応じて変調する光変調装置と、入射する光束の偏光軸を変換する偏光板と、前記光変調装置から射出される光束の視野角を拡大する光学補償手段とを含んで構成され、前記光学部品保持枠は、前記偏光板および前記光学補償手段を保持することが好ましい。
ここで、偏光板としては、光変調装置の光路前段および光路後段に配置される入射側偏光板および射出側偏光板の双方を採用できる。
また、光学補償手段は、入射側偏光板または射出側偏光板と、光変調装置との間に介装される視野角補正板等を採用できる。
そして、光学部品保持枠としては、近接配置される２つの光学部品を保持する構成とすればよく、例えば、第１保持枠にて入射側偏光板を保持し、第２保持枠にて視野角補正板を保持する構成としてもよく、第１保持枠にて射出側偏光板を保持し、第２保持枠にて視野角補正板を保持する構成としてもよい。特に、第１保持枠にて入射側偏光板を保持し、第２保持枠にて視野角補正板を保持する構成が好ましい。
本発明によれば、光学部品保持枠は、偏光板および光学補償手段を保持するので、例えば、第１保持枠にて入射側偏光板を保持し、第２保持枠にて視野角補正板を保持する構成とした場合には、第１保持枠を上部筐体に対して回動させることで、射出側偏光板に対する入射側偏光板の偏光軸の角度調整を実施できるとともに、第２保持枠を第１保持枠に対して回動させることで、視野角補正板における視野角調整も実施できる。したがって、本発明の光学装置によれば、高コントラストかつ視野角の良好な光学像を形成できる。
【００１６】
本発明のプロジェクタは、光源と、前記光源から射出された光束を画像情報に応じて変調して光学像を形成する光変調装置と、前記光変調装置で形成された光学像を拡大投射する投射光学装置とを備えたプロジェクタであって、上述した光学装置を備えていることを特徴とする。
本発明によれば、プロジェクタは、上述した光学装置を備えているので、上述した光学装置と同様の作用・効果を享受できる。
また、例えば、３つの光変調装置と、これら光変調装置にて変調された変調光を合成する色合成光学装置を備える三板式のプロジェクタの場合、各光変調装置に対応する偏光板および視野角補正板を３つの光学部品保持枠にてそれぞれ位置調整する構成とすれば、高コントラスト比を実現しつつ、光変調装置毎に生じる視野角依存性による画面ムラを抑制し、色むらのない投射画像を形成できる。
【発明を実施するための最良の形態】
【００１７】
以下、本発明の一実施の形態を図面に基づいて説明する。
〔プロジェクタの主な構成〕
図１は、本実施形態に係るプロジェクタ１の概略構成を示す図である。
プロジェクタ１は、全体略直方体形状の外装ケース２と、プロジェクタ１内に滞留する熱を冷却する冷却ユニット３と、光源から射出された光束を光学的に処理して画像情報に対応した光学像を形成する光学装置としての光学ユニット４と、図示しない電源ケーブルを介して外部から供給された電力をプロジェクタ１の構成部材に供給する電源ユニット５とを備えて構成されている。
【００１８】
外装ケース２は、それぞれ金属で構成され、プロジェクタ１の天面、前面、側面、および背面をそれぞれ構成するアッパーケース２１と、プロジェクタ１の底面、前面、側面、および背面をそれぞれ構成するロアーケース２２とで構成されている。これらのケース２１，２２は、互いにねじで固定されている。なお、外装ケース２は、金属製に限らず、合成樹脂で構成したものを採用してもよい。
【００１９】
アッパーケース２１の前面には、切欠部２１１が形成されており、前記ロアーケース２２と組み合わされた状態で、円形の開口部２Ａを形成し、この開口部２Ａから、外装ケース２内部に配置された光学ユニット４の後述する投射レンズの一部が、外部に露出している。そして、この露出部分の一部である前記投射レンズのレバーを介して、前記投射レンズのフォーカス操作が手動で実施可能となっている。また、開口部２Ａの反対側の位置には、冷却ユニット３によって、プロジェクタ１内部で温められた空気を外部に排出するための排気口２１２が形成されている。
アッパーケース２１の背面には、電源ユニット５に対向する位置（図１中左側）に、冷却ユニット３によって外部から冷却空気を吸引するための吸気口２１３が形成されている。また、アッパーケース２１の背面には、図示は省略するが、コンピュータ接続用の接続部や、ビデオ入力端子、オーディオ機器接続端子等の各種の機器接続用端子が設けられており、該背面の内側には、映像信号等の信号処理を行う信号処理回路が実装されたインターフェース基板が配置されている。
【００２０】
ロアーケース２２の底面には、図示は省略するが、光学ユニット４の後述する電気光学装置の下方に位置し、冷却ユニット３によって外部から冷却空気を吸引するための吸気口が形成されている。
ロアーケース２２の背面には、図示は省略するが、アッパーケース２１の背面に形成された吸気口２１３と連続して、冷却ユニット３によって外部から冷却空気を吸引するための吸気口が形成されている。
ロアーケース２２の前面には、切欠部２２１が形成され、アッパーケース２１と組み合わされた状態で、上述した切欠部２１１と連続して円形の開口部２Ａを形成する。また、開口部２Ａの反対側の位置には、アッパーケース２１の前面に形成された排気口２１２と連続して、冷却ユニット３によって、プロジェクタ１内部で温められた空気を外部に排出するための排気口２２２が形成されている。
【００２１】
冷却ユニット３は、プロジェクタ１の内部に形成される冷却流路に冷却空気を送り込み、プロジェクタ１内で発生する熱を冷却する。この冷却ユニット３は、光学ユニット４の後述する投射レンズの側方に位置し、ロアーケース２２の底面に形成された図示しない吸気口から冷却空気を吸引する一対のシロッコファン３１，３２と、外装ケース２の背面近傍に位置し、該背面に形成された吸気口２１３から冷却空気を吸引する軸流吸気ファン３３と、外装ケース２の前面近傍に位置し、プロジェクタ１内の空気を引き寄せ、該前面に形成された排気口２１２，２２２から温められた空気を排出する軸流排気ファン３４とを備えて構成されている。
【００２２】
電源ユニット５は、プロジェクタ１内部において、外装ケース２の背面から前面にかけて延びるように配置されている。この電源ユニット５は、図示は省略するが、電源ケーブルを通して外部から供給された電力を、プロジェクタ１の構成部材に供給する電源と、光学ユニット４の後述する光源装置に、前記電源から供給された電力を供給するランプ駆動回路とを備えている。これら電源およびランプ駆動回路は、図示は省略するが、両端が開口されたアルミニウム等の金属製のシールド部材によって周囲を覆われている。そして、このシールド部材により冷却ユニット３の軸流吸気ファン３３から吸引された冷却空気が誘導されるととともに、前記電源や前記ランプ駆動回路で発生する電磁ノイズが外部へ漏れないように構成されている。
【００２３】
図２は、光学ユニット４を上方から見た斜視図である。
光学ユニット４は、詳細については後述するが、光源から射出された光束を、光学的に処理して画像情報に対応した光学像を形成し、この光学像を拡大して投射するユニットである。この光学ユニットは、図１または図２に示すように、外装ケース２内において、前面側から背面側に延び、さらに、背面側に沿って延び、さらにまた、背面側から前面側へと延びる平面略Ｕ字形状を有している。この光学ユニット４は、図示は省略するが、電源ユニット５と電気的に接続している。また、この光学ユニット４の上方には、画像情報に応じて光学像を投射するために、画像情報を取り込んで制御および演算処理等を行い、後述する光変調装置となる各液晶パネルを制御する制御基板が配置される。
【００２４】
〔光学ユニットの構成〕
図３は、光学ユニット４の光学系を模式的に示す図である。
光学ユニット４は、インテグレータ照明光学系４１と、色分離光学系４２と、リレー光学系４３と、電気光学装置４４と、投射光学装置としての投射レンズ４６と、これらの光学部品４１〜４４を内部に収納するとともに，投射レンズ４６を所定位置で支持固定する合成樹脂製の光学部品用筐体４７（図２）とを備える。
インテグレータ照明光学系４１は、電気光学装置４４を構成する後述する各液晶パネルの画像形成領域をほぼ均一に照明するための光学系である。このインテグレータ照明光学系４１は、光源装置４１３と、第１レンズアレイ４１８と、第２レンズアレイ４１４と、偏光変換装置４１５と、反射ミラー４２４と、重畳レンズ４１９とを備えている。
【００２５】
光源装置４１３は、放射状の光線を射出する放射光源としての光源ランプ４１１と、この光源ランプ４１１から射出された放射光を反射するリフレクタ４１２とを有する。光源ランプ４１１としては、ハロゲンランプやメタルハライドランプ、または高圧水銀ランプが用いられることが多い。
リフレクタ４１２としては、放物面鏡を用いている。なお、放物面鏡の他、平行化凹レンズと共に楕円面鏡を用いてもよい。
【００２６】
第１レンズアレイ４１８は、光軸方向から見てほぼ矩形状の輪郭を有する小レンズがマトリクス状に配列された構成を有している。各小レンズは、光源ランプ４１１から射出される光束を、複数の部分光束に分割している。
第２レンズアレイ４１４は、第１レンズアレイ４１８と略同様な構成を有しており、小レンズがマトリクス状に配列された構成を有している。この第２レンズアレイ４１４は、重畳レンズ４１９とともに、第１レンズアレイ４１８の各小レンズの像を後述する液晶パネル上に結像させる機能を有している。
【００２７】
偏光変換装置４１５は、第２レンズアレイ４１４の後段に配置される。このような偏光変換装置４１５は、第２レンズアレイ４１４からの光を略１種類の偏光光に変換するものであり、これにより、電気光学装置４４での光の利用効率が高められている。
具体的に、偏光変換装置４１５によって略１種類の偏光光に変換された各部分光は、重畳レンズ４１９によって最終的に電気光学装置４４の後述する各液晶パネル上にほぼ重畳される。偏光光を変換するタイプの液晶パネルを用いた本実施形態のプロジェクタ１では、１種類の偏光光しか利用できないため、他種類のランダムな偏光光を発する光源ランプ４１１からの光束の略半分が利用されない。このため、偏光変換装置４１５を用いることにより、光源ランプ４１１から射出された光束を略全て１種類の偏光光に変換し、電気光学装置４４での光の利用効率を高めている。
【００２８】
色分離光学系４２は、２枚のダイクロイックミラー４２１，４２２と、反射ミラー４２３とを備え、ダイクロイックミラー４２１，４２２によりインテグレータ照明光学系４１から射出された複数の部分光束を赤、緑、青の３色の色光に分離する機能を有している。
リレー光学系４３は、入射側レンズ４３１、リレーレンズ４３３、および反射ミラー４３２，４３４を備え、色分離光学系４２で分離された色光を青色光用の液晶パネルまで導く機能を有している。
【００２９】
この際、色分離光学系４２のダイクロイックミラー４２１では、インテグレータ照明光学系４１から射出された光束の青色光成分と緑色光成分とが透過するとともに、赤色光成分が反射する。ダイクロイックミラー４２１によって反射した赤色光は、反射ミラー４２３で反射し、フィールドレンズ４１７を通って赤色光用の液晶パネルに達する。このフィールドレンズ４１７は、第２レンズアレイ４１４から射出された各部分光束をその中心軸（主光線）に対して平行な光束に変換する。他の緑色光および青色光用の液晶パネルの光入射側に設けられたフィールドレンズ４１７も同様である。
【００３０】
ダイクロイックミラー４２１を透過した青色光と緑色光のうちで、緑色光はダイクロイックミラー４２２によって反射し、フィールドレンズ４１７を通って緑色光用の液晶パネルに達する。一方、青色光はダイクロイックミラー４２２を透過してリレー光学系４３を通り、さらにフィールドレンズ４１７を通って青色光用の液晶パネルに達する。なお、青色光にリレー光学系４３が用いられているのは、青色光の光路の長さが他の色光の光路長さよりも長いため、光の拡散等による光の利用効率の低下を防止するためである。すなわち、入射側レンズ４３１に入射した部分光束をそのまま、フィールドレンズ４１７に伝えるためである。なお、リレー光学系４３には、３つの色光のうちの青色光を通す構成としたが、これに限らず、例えば、赤色光を通す構成としてもよい。
【００３１】
電気光学装置４４は、３枚の光変調装置となる液晶パネル４４１（赤色光用の液晶パネルを４４１Ｒ、緑色光用の液晶パネルを４４１Ｇ、青色光用の液晶パネルを４４１Ｂとする）と、偏光板４４２と、視野角補正板４４４と、クロスダイクロイックプリズム４４３とを備えている。
液晶パネル４４１Ｒ，４４１Ｇ，４４１Ｂは、例えば、ポリシリコンＴＦＴをスイッチング素子として用いたものであり、色分離光学系４２で分離された各色光は、これら３枚の液晶パネル４４１Ｒ，４４１Ｇ，４４１Ｂとこれらの光束入射側および射出側にある偏光板４４２によって、画像情報に応じて変調されて光学像を形成する。
【００３２】
偏光板４４２は、液晶パネル４４１（４４１Ｒ，４４１Ｇ，４４１Ｂ）の前段および後段に配置される入射側偏光板４４２Ａ、射出側偏光板４４２Ｂを備えている。
入射側偏光板４４２Ａは、色分離光学系４２で分離された各色光のうち、一定方向の偏光光のみ透過させ、その他の光束を吸収するものであり、水晶またはサファイア等からなる基板に偏光膜が貼付されたものである。そして、この入射側偏光板４４２Ａは、光学部品用筐体４７を構成する後述する位置調整機構により、光学部品用筐体４７内に設定される所定の照明光軸に対して位置調整可能に配置されている。なお、前記位置調整機構については、光学部品用筐体４７を説明する際に説明する。
射出側偏光板４４２Ｂも、入射側偏光板４４２Ａと略同様に構成され、液晶パネル４４１（４４１Ｒ，４４１Ｇ，４４１Ｂ）から射出された光束のうち、所定方向の偏光光のみ透過させ、その他の光束を吸収するものである。また、基板を用いずに、偏光膜をクロスダイクロイックプリズム４４３に貼り付けてもよい。
これらの入射側偏光板４４２Ａ、射出側偏光板４４２Ｂは、互いの偏光軸の方向が直交するように設定されている。
【００３３】
視野角補正板４４４は、基板上に液晶パネル４４１（４４１Ｒ，４４１Ｇ，４４１Ｂ）で形成された光学像の視野角を補正する機能を有する光学変換膜が形成されたものである。このような視野角補正板４４４を配置することにより、黒画面時の光漏れを低減し投射画像のコントラストが大幅に向上する。そして、この視野角補正板４４４は、入射側偏光板４４２Ａと略同様に、光学部品用筐体４７を構成する後述する位置調整機構により、光学部品用筐体４７内に設定される所定の照明光軸に対して位置調整可能に配置されている。なお、前記位置調整機構については、光学部品用筐体４７を説明する際に説明する。
【００３４】
クロスダイクロイックプリズム４４３は、３枚の液晶パネル４４１Ｒ，４４１Ｇ，４４１Ｂから射出された色光毎に変調された画像を合成してカラー画像を形成するものである。なお、クロスダイクロイックプリズム４４３には、赤色光を反射する誘電体多層膜と青色光を反射する誘電体多層膜とが、４つの直角プリズムの界面に沿って略Ｘ字状に形成され、これらの誘電体多層膜によって３つの色光が合成される。
投射レンズ４６は、複数のレンズが組み合わされた組レンズとして構成され、クロスダイクロイックプリズム４４３で合成されたカラー画像をスクリーン上に拡大投射する。この投射レンズ４６には、複数のレンズの相対位置を変更するレバー４６Ａを備え、投射されるカラー画像のフォーカス調整および倍率調整可能に構成されている。
【００３５】
以上説明した各光学系４１〜４４は、光学部品用筐体４７内に収容されている。
光学部品用筐体４７は、前述の各光学部品４１４〜４１９，４２１〜４２３，４３１〜４３４を上方からスライド式に嵌め込む溝部がそれぞれ設けられた下部筐体４７１（図２）と、下部筐体４７１の上部の開口側を閉塞する蓋状の上部筐体４７２（図２）と、上部筐体４７２の一部を含み、入射側偏光板４４２Ａおよび視野角補正板４４４の双方の位置調整を実施する位置調整機構４４５（図２）とを備えて構成されている。
また、平面略Ｕ字状の光学部品用筐体４７の一端側には、光源装置４１３が収容され、他端側には、該光学部品用筐体４７内に設定される照明光軸に対する所定位置に投射レンズ４６が固定されている。また、投射レンズ４６の光路前段には、電気光学装置４４が固定されている。
【００３６】
〔位置調整機構の構造〕
図４ないし図６は、位置調整機構４４５を説明する図である。具体的に、図４は、上部筐体４７２における電気光学装置４４側の一部分を上方から見た図である。図５は、位置調整機構４４５を構成する光学部品保持枠４４６を上方から見た斜視図である。図６は、位置調整機構４４５を構成する光学部品保持枠４４６を下方から見た斜視図である。
位置調整機構４４５は、図２に示すように、入射側偏光板４４２Ａおよび視野角補正板４４４の双方を保持する光学部品保持枠４４６と、上部筐体４７２の上面に位置し、光学部品保持枠４４６を姿勢調整可能に支持する保持枠姿勢調整部４４７とで構成される。なお、図２では、液晶パネル４４１Ｂ側の位置調整機構４４５は、保持枠姿勢調整部４４７を詳細に示すために光学部品保持枠４４６を省略している。
【００３７】
上部筐体４７２は、図２、図４に示すように、下部筐体４７１の開口部分のうち、前述の各光学部品４１４〜４１９，４２１〜４２３，４３１〜４３４が収納される開口部分を閉塞する。すなわち、上部筐体４７２は、図２、図４に示すように、光源装置４１３の光路後段側から電気光学装置４４の光路前段側にかけて下部筐体４７１の開口部分を閉塞し、下部筐体４７１に上部筐体４７２が取り付けられた状態では、電気光学装置４４の上方には電気光学装置４４を平面的に囲うように略矩形状の開口４７２Ａ（図４）が形成される構成となっている。
【００３８】
保持枠姿勢調整部４４７は、図２、図４に示すように、上部筐体４７２の上面に位置し、上部筐体４７２の開口４７２Ａ近傍に３つ設けられる。この保持枠姿勢調整部４４７は、光学部品保持枠４４６を移動可能に支持する保持枠支持部４４７１と、ドライバ等の先端を支持する調整部材先端支持部４４７２と、光学部品保持枠４４６における移動時の終端位置を規定する回転防止規制部４４７３とを備えている。
【００３９】
保持枠支持部４４７１は、上部筐体４７２の開口４７２Ａと平行な平面およびこの平面に直交する平面に沿って上部筐体４７２の上面に立設され、平面視略＋字状に形成されている。この保持枠支持部４４７１の上面には、光源装置４１３から射出された光束の照明光軸を中心として、上方に凸となる平面視円弧状の光学部品保持枠支持面４４７１Ａが形成されている。この光学部品保持枠支持面４４７１Ａの略中央部分には、下方に向けて固定部材取付部としての固定用孔４４７１Ｂが形成されている。この固定用孔４４７１Ｂは、ねじ孔等の螺合構造を有するように形成されている。
【００４０】
調整部材先端支持部４４７２は、保持枠支持部４４７１の光路前段（上部筐体４７２の開口４７２Ａから離間する方向）に位置し、上部筐体４７２の上面に立設されている。この調整部材先端支持部４４７２の上面には、略Ｖ字状の切り欠きが形成され、谷部分が上部筐体４７２の開口４７２Ａと直交する方向に延び、該谷部分の延長線上に保持枠支持部４４７１の略中央部分が位置する。
【００４１】
回転防止規制部４４７３は、調整部材先端支持部４４７２の側方にそれぞれ位置し、上部筐体４７２の上面に立設されている。この回転防止規制部４４７３は、平面視略Ｌ字状に形成され、Ｌ字状の側面が調整部材先端支持部４４７２の上面に形成された切り欠きの谷部分に直角となるように設けられている。この回転防止規制部４４７３は、光学部品保持枠４４６における移動方向の終端位置を規定するとともに、光学部品保持枠４４６の後述する第１保持枠突出部の端面と当接し、光学部品保持枠４４６の位置ずれを防止する。なお、この回転防止規制部４４７３は、平面視略Ｌ字の形状に限らず、平面視略Ｉ字状の形状を有していてもよい。すなわち、回転防止規制部４４７３のそれぞれの側面が調整部材先端支持部４４７２の上面に形成された切り欠きの谷部分に直角となるように設けられていればよい。また、光学部品保持枠４４６における移動方向の終端位置の規定は、偏光板保持枠４４６１のトラック孔４４６１Ｂ３でも実施でき、このトラック孔４４６１Ｂ３の大きさ（長さ）を所定寸法に設定すれば、回転防止規制部４４７３を省略することも可能である。
【００４２】
光学部品保持枠４４６は、保持枠姿勢調整部４４７に回動可能に支持され、入射側偏光板４４２Ａおよび視野角補正板４４４の姿勢調整可能に保持する。この光学部品保持枠４４６は、図５、図６に示すように、入射側偏光板４４２Ａを保持する第１保持枠としての偏光板保持枠４４６１と、視野角補正板４４４を保持する第２保持枠としての補正板保持枠４４６２とを備えている。そして、これら偏光板保持枠４４６１および補正板保持枠４４６２は、入射側偏光板４４２Ａおよび視野角補正板４４４をそれぞれ独立して姿勢調整可能となるように、一体化されている。
【００４３】
図７は、偏光板保持枠４４６１を上方から見た斜視図である。
偏光板保持枠４４６１は、図７に示すように、略矩形板状の第１板状部材４４６１Ａと、この第１板状部材４４６１Ａの上方側端縁から板面の略法線方向に突出する第１保持枠突出部４４６１Ｂとを備え、これら第１板状部材４４６１Ａおよび第１保持枠突出部４４６１Ｂが一体的に形成されたものである。
第１板状部材４４６１Ａにおいて、その略中央部分には、開口部４４６１Ａ１が形成されている。
また、第１板状部材４４６１Ａにおいて、開口部４４６１Ａ１の周縁部分には、厚み方向に窪む凹部４４６１Ａ２が形成されている。この凹部４４６１Ａ２は、入射側偏光板４４２Ａの外形寸法と略同一の寸法を有し、その上端縁および下端縁には、第１板状部材４４６１Ａから光束射出側に突出し、入射側偏光板４４２Ａの外形位置基準面として機能する位置決め部４４６１Ａ３が形成されている。そして、入射側偏光板４４２Ａは、その外形を位置決め部４４６１Ａ３に合わせることで偏光板保持枠４４６１に対する位置が規定され、接着剤等を介して凹部４４６１Ａ２の所定位置に保持固定される。なお、接着剤等により接着固定する構成の他、例えば、凹部４４６１Ａ２から入射側偏光板４４２Ａの厚み寸法よりも長い寸法を有する突出部を突出させ、前記突出部を熱かしめ等により折曲して入射側偏光板４４２Ａを偏光板保持枠４４６１にかしめ固定する構成としてもよい。
【００４４】
さらに、第１板状部材４４６１Ａにおいて、上方側端縁略中央部分には、下方に向けて凸状となるように切り欠かれた係合部４４６１Ａ４が形成されている。そして、この係合部４４６１Ａ４は、外部の光軸調整専用の図示しない光軸調整治具と係合する。
さらにまた、第１板状部材４４６１Ａにおいて、左右側端縁略中央部分には、第１板状部材４４６１Ａの板面に沿って外側に膨出する第１膨出部４４６１Ａ５が形成されている。そして、偏光板保持枠４４６１を下部筐体４７１内に設置した際には、下部筐体４７１内に形成された図示しない溝部に第１膨出部４４６１Ａ５が挿入され、偏光板保持枠４４６１が下部筐体４７１内に設定された照明光軸に沿った方向に移動することを防止する。また、第１膨出部４４６１Ａ５は、平面視略円弧状に形成されているので、下部筐体４７１内に偏光板保持枠４４６１を設置した際でも、該偏光板保持枠４４６１を円滑に回動することができる。
【００４５】
第１保持枠突出部４４６１Ｂは、第１板状部材４４６１Ａの係合部４４６１Ａ４の左右位置から第１板状部材４４６１Ａの略法線方向にそれぞれ所定寸法突出し、突出方向略中央部分にて互いに接続する平面視Ｈ字状に形成されている。そして、第１板状部材４４６１Ａに対する第１保持枠突出部４４６１Ｂの基端部分の開口を介して外部の図示しない光軸調整治具が挿通可能となり、係合部４４６１Ａ４と光軸調整治具とが係合可能に構成されている。
この第１保持枠突出部４４６１Ｂは、保持枠支持部４４７１の光学部品保持枠支持面４４７１Ａ（図４）に対応して、下方に向けて凹状に湾曲し、光束入射側または光束射出側から見た場合に、略円弧状に形成されている。
【００４６】
そして、第１保持枠突出部４４６１Ｂにおける下方側端面が第１曲面４４６１Ｂ１（図６）となり、偏光板保持枠４４６１は、保持枠支持部４４７１の光学部品保持枠支持面４４７１Ａ（図４）上に第１曲面４４６１Ｂ１が当接した状態で保持枠支持部４４７１に支持される。すなわち、偏光板保持枠４４６１は、保持枠支持部４４７１の光学部品保持枠支持面４４７１Ａ（図４）上で第１曲面４４６１Ｂ１が摺動可能な状態で支持され、光学部品用筐体４７内に設定される照明光軸を中心として該照明光軸に直交する面内で入射側偏光板４４２Ａの位置調整が可能となっている。
また、第１保持枠突出部４４６１Ｂにおける上方側端面が回転案内面４４６１Ｂ２（図７）となり、補正板保持枠４４６２は、回転案内面４４６１Ｂ２上に摺動可能に支持される。
【００４７】
また、この第１保持枠突出部４４６１Ｂの接続部分には、略中央部分に回転案内面４４６１Ｂ２から第１曲面４４６１Ｂ１に貫通する長孔としてのトラック孔４４６１Ｂ３が形成されている。このトラック孔４４６１Ｂ３は、保持枠支持部４４７１に対する偏光板保持枠４４６１の摺動方向に延びるように形成されている。
さらに、この第１保持枠突出部４４６１Ｂにおいて、第１板状部材４４６１Ａに対する該第１保持枠突出部４４６１Ｂの先端部分は、偏光板保持枠４４６１の移動を操作する偏光板移動操作部４４６１Ｂ４となる。この偏光板移動操作部４４６１Ｂ４の幅寸法は、保持枠姿勢調整部４４７の２つの回転防止規制部４４７３（図４）の離間した距離寸法よりも小さく形成されている。また、この偏光板移動操作部４４６１Ｂ４の幅方向略中央部分の切り欠き４４６１Ｂ５は、保持枠支持部４４７１上に偏光板保持枠４４６１を設置した際、保持枠姿勢調整部４４７における調整部材先端支持部４４７２（図４）の位置に対応する。
【００４８】
図８は、補正板保持枠４４６２を上方から見た斜視図である。
補正板保持枠４４６２は、図８に示すように、略矩形板状の第２板状部材４４６２Ａと、この第２板状部材４４６２Ａの上方側端縁から板面の略法線方向に突出する第２保持枠突出部４４６２Ｂとを備え、これら第２板状部材４４６２Ａおよび第２保持枠突出部４４６２Ｂが一体的に形成されたものである。
第２板状部材４４６２Ａにおいて、その略中央部分には、開口部４４６２Ａ１が形成されている。
また、第２板状部材４４６２Ａにおいて、上下端縁および左右端縁の角隅部分には、第２板状部材４４６２Ａから光束射出側に突出し、視野角補正板４４４の外形位置基準面として機能する位置決め部４４６２Ａ２が形成されている。そして、視野角補正板４４４は、その外形を位置決め部４４６２Ａ２に合わせることで補正板保持枠４４６２に対する位置が規定され、接着剤等を介して第２板状部材４４６２Ａの所定位置に保持固定される。なお、接着剤等により接着固定する構成の他、例えば、第２板状部材４４６２Ａの上下端縁および左右端縁から視野角補正板４４４の厚み寸法よりも長い寸法を有する突出部を突出させ、前記突出部を熱かしめ等により折曲して視野角補正板４４４を補正板保持枠４４６２にかしめ固定する構成としてもよい。
【００４９】
さらに、第２板状部材４４６２Ａにおいて、上方側端縁略中央部分には、上方に向けて延出する平面視略三角形状の延出部４４６２Ａ３が形成されている。
さらにまた、第２板状部材４４６２Ａにおいて、左右側端縁略中央部分には、第２板状部材４４６２Ａの板面に沿って外側に膨出する第２膨出部４４６２Ａ４が形成されている。そして、補正板保持枠４４６２を下部筐体４７１内に設置した際には、下部筐体４７１内に形成された図示しない溝部に第２膨出部４４６２Ａ４が挿入され、補正板保持枠４４６２が下部筐体４７１内に設定された照明光軸に沿った方向に移動することを防止する。また、第２膨出部４４６２Ａ４は、平面視略円弧状に形成されているので、下部筐体４７１内に補正板保持枠４４６２を設置した際でも、該補正板保持枠４４６２を円滑に回動することができる。
【００５０】
第２保持枠突出部４４６２Ｂは、第２板状部材４４６２Ａの延出部４４６２Ａ３の延出方向先端部分から第２板状部材４４６２Ａの略法線方向に所定方向突出する突出部４４６２Ｂ１と、この突出部４４６２Ｂ１の突出方向先端部分から左右方向に延出し、下方に向けて凹となるように湾曲する湾曲部４４６２Ｂ２とを備え、平面視略Ｔ字状に形成されている。
突出部４４６２Ｂ１には、一方の端縁（図８中左側の端縁）から上方に向けて突出する移動操作部としての補正板移動操作部４４６２Ｂ３が形成されている。
【００５１】
湾曲部４４６２Ｂ２は、第１保持枠突出部４４６１Ｂの回転案内面４４６１Ｂ２（図７）に対応して、下方に向けて凹状に湾曲し、光束入射側または光束射出側から見た場合に、略円弧状に形成されている。そして、湾曲部４４６２Ｂ２における下方側端面が第２曲面４４６２Ｂ４（図６）となり、補正板保持枠４４６２は、偏光板保持枠４４６１の回転案内面４４６１Ｂ２（図７）上に第２曲面４４６２Ｂ４が当接した状態で偏光板保持枠４４６１に支持される。すなわち、補正板保持枠４４６２は、偏光板保持枠４４６１の回転案内面４４６１Ｂ２上で第２曲面４４６２Ｂ４が摺動可能な状態で支持され、光学部品用筐体４７内に設定される照明光軸を中心として該照明光軸に直交する面内で視野角補正板４４４の位置調整が可能となっている。
【００５２】
また、湾曲部４４６２Ｂ２には、上方側端面から第２曲面４４６２Ｂ４に貫通する長孔としてのトラック孔４４６２Ｂ５が形成されている。このトラック孔４４６２Ｂ５は、湾曲部４４６２Ｂ２の延出方向、すなわち、偏光板保持枠４４６１に対する補正板保持枠４４６２の摺動方向に延びるように形成されている。
保持枠支持部４４７１上に偏光板保持枠４４６１を設置し、さらに、この偏光板保持枠４４６１上に補正板保持枠４４６２を設置した状態では、各トラック孔４４６１Ｂ３，４４６２Ｂ５の一部が平面的に干渉し、各トラック孔４４６１Ｂ３，４４６２Ｂ５を介して保持枠支持部４４７１の固定用孔４４７１Ｂ（図４）が露出する。そして、図５または図６に示すように、固定部材としてのねじ４４６３をトラック孔４４６１Ｂ３，４４６２Ｂ５に挿通し、固定用孔４４７１Ｂ（図４）に螺合することで、該ねじ４４６３により偏光板保持枠４４６１および補正板保持枠４４６２の双方が保持枠支持部４４７１上に固定される。
【００５３】
以上説明した偏光板保持枠４４６１および補正板保持枠４４６２の材料としては、特に限定されないが、例えば、熱伝導性を有する部材から構成することが好ましい。このような熱伝導性部材にて構成することで、入射側偏光板４４２Ａおよび視野角補正板４４４が光源装置４１３から射出された光束により生じる熱を偏光板保持枠４４６１および補正板保持枠４４６２に放熱することができ、入射側偏光板４４２Ａおよび視野角補正板４４４の熱劣化を回避できる。例えば、前記熱伝導性部材としては、インバーおよび４２Ｎｉ−Ｆｅ等の鉄−ニッケル合金、アルミニウム合金、マグネシウム合金、炭素鋼、黄銅、ステンレス等の金属、または、カーボンファイバー、カーボンナノチューブ等のカーボンフィラーを混入させた樹脂（ポリカーボネート、ポリフェニレンサルファイド、液晶樹脂等）等を採用できる。
【００５４】
図９は、入射側偏光板４４２Ａおよび視野角補正板４４４の位置調整を実施する様子を示す図である。
入射側偏光板４４２Ａおよび視野角補正板４４４の位置調整を実施する際には、偏光板保持枠４４６１に入射側偏光板４４２Ａを保持させた状態で、保持枠支持部４４７１の光学部品保持枠支持面４４７１Ａ上に偏光板保持枠４４６１の第１曲面４４６１Ｂ１を当接させ、偏光板保持枠４４６１を上部筐体４７２に設置する。また、補正板保持枠４４６２に視野角補正板４４４を保持させた状態で、偏光板保持枠４４６１の回転案内面４４６１Ｂ２上に補正板保持枠４４６２の第２曲面４４６２Ｂ４が当接するように、補正板保持枠４４６２を偏光板保持枠４４６１に設置する。
そして、ねじ４４６３を、補正板保持枠４４６２のトラック孔４４６２Ｂ５および偏光板保持枠４４６１のトラック孔４４６１Ｂ３（図７）を介して保持枠支持部４４７１の固定用孔４４７１Ｂに緩めた状態で螺合させる。
【００５５】
この状態で、入射側偏光板４４２Ａの位置調整を実施する際には、先端が「−」の形状を有するドライバＤＲを偏光板保持枠４４６１の切り欠き４４６１Ｂ５を介して挿通させ、ドライバＤＲの先端を調整部材先端支持部４４７２の谷部分に支持させる。
そして、ドライバＤＲの先端を支点として該ドライバＤＲを左右に移動させることで、ドライバＤＲの側面と切り欠き４４６１Ｂ５の端縁とが当接し、ドライバＤＲの移動方向に沿って、偏光板保持枠４４６１が保持枠支持部４４７１の光学部品保持枠支持面４４７１Ａ上を摺動する。この偏光板保持枠４４６１の摺動により、入射側偏光板４４２Ａは、光学部品用筐体４７内に設定された照明光軸を中心として該照明光軸と直交する面内で位置調整される。
ここで、偏光板保持枠４４６１の偏光板移動操作部４４６１Ｂ４の幅寸法は、保持枠姿勢調整部４４７の２つの回転防止規制部４４７３の離間した距離寸法よりも小さく形成されているので、偏光板保持枠４４６１を保持枠支持部４４７１の光学部品保持枠支持面４４７１Ａ上を摺動させることができる。さらに、偏光板保持枠４４６１の摺動時に偏光板移動操作部４４６１Ｂ４の端部が回転防止規制部４４７３に当接することで偏光板保持枠４４６１の移動時の終端位置を規定できる。
【００５６】
一方、視野角補正板４４４の位置調整を実施する際には、例えば、補正板保持枠４４６２の補正板移動操作部４４６２Ｂ３を手で掴み、該補正板移動操作部４４６２Ｂ３を左右に移動させることで、補正板移動操作部４４６２Ｂ３の移動方向に沿って、補正板保持枠４４６２が偏光板保持枠４４６１の回転案内面４４６１Ｂ２上を摺動する。この補正板保持枠４４６２の摺動により、視野角補正板４４４は、光学部品用筐体４７内に設定された照明光軸を中心として該照明光軸と直交する面内で位置調整される。
これら入射側偏光板４４２Ａおよび視野角補正板４４４の位置調整を終了した後、ねじ４４６３を締め、該ねじ４４６３により偏光板保持枠４４６１および補正板保持枠４４６２の双方を上部筐体４７２に螺合固定する。
【００５７】
以上のように本実施形態においては、光学部品保持枠４４６を構成する偏光板保持枠４４６１は、上部筐体４７２の上面に形成された光学部品保持枠支持面４４７１Ａ上を摺動するとともに、光学部品保持枠４４６を構成する補正板保持枠４４６２を回動可能に支持する回転案内面４４６１Ｂ２が形成されているので、偏光板保持枠４４６１および補正板保持枠４４６２を回転案内面４４６１Ｂ２を介して一体的に構成でき、光学部品保持枠４４６にて近接配置される入射側偏光板４４２Ａおよび視野角補正板４４４を保持できる。したがって、従来のように２つの調整機構にそれぞれ入射側偏光板４４２Ａおよび視野角補正板４４４を独立して保持させる構成と比較して、光学部品用筐体４７内部にそれほど広いスペースを必要とせず、光学部品用筐体４７の小型化を図れる。
そしてまた、補正板保持枠４４６２は、偏光板保持枠４４６１に固定される構成であるので、上部筐体４７２に偏光板保持枠４４６１を保持固定する保持枠支持部４４７１のみを設けることで、補正板保持枠４４６２および偏光板保持枠４４６１の双方を保持枠支持部４４７１に固定することができる。したがって、補正板保持枠４４６２を保持固定するための取付部を上部筐体４７２または下部筐体４７１に形成する必要がなく、光学部品用筐体４７の製造コストの低減を図れる。
【００５８】
また、偏光板保持枠４４６１には、上部筐体４７２の光学部品保持枠支持面４４７１Ａに対応して第１曲面４４６１Ｂ１が形成されているので、偏光板保持枠４４６１を光学部品保持枠支持面４４７１Ａに沿って回動でき、入射側偏光板４４２Ａの位置調整を簡単な構造で容易にかつ、高精度に実施できる。
さらに、回転案内面４４６１Ｂ２は、第１曲面４４６１Ｂ１に対向する端面に形成されているので、第１保持枠突出部４４６１Ｂを光束の照明光軸を中心とした湾曲形状とすることで、湾曲状内側端面を第１曲面４４６１Ｂ１とし、湾曲状外側端面を回転案内面４４６１Ｂ２とすることができ、偏光板保持枠４４６１の製造を容易に実施できる。
さらにまた、上部筐体４７２の上面に光学部品保持枠支持面４４７１Ａが形成され、偏光板保持枠４４６１において、光学部品保持枠支持面４４７１Ａに当接する第１曲面４４６１Ｂ１に対向する端面に回転案内面４４６１Ｂ２が形成されているので、上部筐体４７２の上方から該上部筐体４７２に対して偏光板保持枠４４６１の設置を容易に実施できるとともに、偏光板保持枠４４６１の上方から該偏光板保持枠４４６１に対して補正板保持枠４４６２の設置も容易に実施できる。したがって、上部筐体４７２に対する光学部品保持枠４４６の着脱を容易に実施でき、光学部品保持枠４４６に保持される入射側偏光板４４２Ａおよび視野角補正板４４４の交換等を容易に実施できる。
【００５９】
また、補正板保持枠４４６２には、偏光板保持枠４４６１の回転案内面４４６１Ｂ２に対応して第２曲面４４６２Ｂ４が形成されているので、補正板保持枠４４６２を偏光板保持枠４４６１の回転案内面４４６１Ｂ２に沿って回動でき、視野角補正板４４４の位置調整を簡単な構造で容易にかつ、高精度に実施できる。
【００６０】
そして、偏光板保持枠４４６１および補正板保持枠４４６２には、それぞれトラック孔４４６１Ｂ３，４４６２Ｂ５が形成され、各トラック孔４４６１Ｂ３，４４６２Ｂ５は、少なくとも一部が互いに平面的に干渉する。また、上部筐体４７２の光学部品保持枠支持面４４７１Ａには、各トラック孔４４６１Ｂ３，４４６２Ｂ５を介して挿通されるねじ４４６３が取り付けられる固定用孔４４７１Ｂが形成されている。このことにより、偏光板保持枠４４６１および補正板保持枠４４６２の双方を、単一のねじ４４６３により固定することができるとともに、各保持枠４４６１，４４６２の回動に応じた入射側偏光板４４２Ａまたは視野角補正板４４４の最適な位置で上部筐体４７２に各保持枠４４６１，４４６２を固定できる。
また、偏光板保持枠４４６１および補正板保持枠４４６２は、ねじ４４６３および固定用孔４４７１Ｂの螺合構造により上部筐体４７２に固定されるので、例えば、入射側偏光板４４２Ａまたは視野角補正板４４４が照明光軸上の所定位置からずれた場合であっても、ねじ４４６３を緩めることで入射側偏光板４４２Ａまたは視野角補正板４４４の位置を容易に修正できる。また、ねじ４４６３を緩めて取り外すだけで入射側偏光板４４２Ａまたは視野角補正板４４４の交換等を実施でき、各保持枠４４６１，４４６２の着脱を容易に実施できる。したがって、各保持枠４４６１，４４６２が接着剤等で上部筐体４７２に接着固定される構成と比較して、上部筐体４７２に対する各保持枠４４６１，４４６２の着脱を容易かつ迅速に実施できる。
さらに、各保持枠４４６１，４４６２にトラック孔４４６１Ｂ３，４４６２Ｂ５がそれぞれ形成されているので、入射側偏光板４４２Ａおよび視野角補正板４４４の位置調整を実施する際に、ねじ４４６３を緩めた状態で実施でき、入射側偏光板４４２Ａおよび視野角補正板４４４の位置調整を容易に実施できるとともに、位置調整後の固定を容易かつ確実に実施できる。
【００６１】
そしてまた、上部筐体４７２には、調整部材先端支持部４４７２が形成され、偏光板保持枠４４６１には、切り欠き４４６１Ｂ５が形成されているので、ドライバＤＲの先端を調整部材先端支持部４４７２に支持させた状態で該調整部材先端支持部４４７２を中心としてドライバＤＲを移動することで、ドライバＤＲの側面と切り欠き４４６１Ｂ５の端縁とが当接し、ドライバＤＲの移動方向に偏光板保持枠４４６１を移動でき、偏光板保持枠４４６１を光学部品保持枠支持面４４７１Ａ上で摺動させることができる。したがって、偏光板保持枠４４６１を移動させるために、専用の光軸調整治具を用いなくても、容易に入射側偏光板４４２Ａの位置調整を実施できる。
【００６２】
そしてさらに、補正板保持枠４４６２には、補正板移動操作部４４６２Ｂ３が形成されているので、例えば、補正板移動操作部４４６２Ｂ３を手で掴み、補正板移動操作部４４６２Ｂ３を移動させることで、補正板保持枠４４６２を回転案内面４４６１Ｂ２上で摺動させることができる。したがって、補正板保持枠４４６２を移動させるために、専用の光軸調整治具を用いなくても、容易に視野角補正板４４４の位置調整を実施できる。
【００６３】
また、偏光板保持枠４４６１は、入射側偏光板４４２Ａを保持し、補正板保持枠４４６２は、視野角補正板４４４を保持するので、偏光板保持枠４４６１を上部筐体４７２に対して回動させることで、射出側偏光板４４２Ｂに対する入射側偏光板４４２Ａの偏光軸の角度調整を実施できるとともに、補正板保持枠４４６２を偏光板保持枠４４６１に対して回動させることで、視野角補正板４４４における視野角調整も実施できる。したがって、光学ユニット４において、高コントラストかつ視野角の良好な光学像を形成できる。
【００６４】
さらに、プロジェクタ１は、３つの液晶パネル４４１Ｒ，４４１Ｇ，４４１Ｂを備える三板式のプロジェクタであるので、光学部品保持枠４４６にて各入射側偏光板４４２Ａおよび各視野角補正板４４４を位置調整することで、高コントラスト比を実現しつつ、液晶パネル４４１Ｒ，４４１Ｇ，４４１Ｂ毎に生じる視野角依存性による画面ムラを抑制し、色ムラのない投射画像を形成できる。
【００６５】
〔実施形態の変形〕
以上、本発明について好適な実施形態を挙げて説明したが、本発明は、これらの実施形態に限定されるものではなく、本発明の要旨を逸脱しない範囲において種々の改良並びに設計の変更が可能である。
前記実施形態では、第１保持枠としての偏光板保持枠４４６１にて入射側偏光板４４２Ａを保持し、第２保持枠としての補正板保持枠４４６２にて視野角補正板４４４を保持する構成を説明したが、これに限らず、第１保持枠および第２保持枠にその他の近接配置される２つの光学部品をそれぞれ保持させる構成を採用してもよい。例えば、この光学部品としては、入射側偏光板４４２Ａ、視野角補正板４４４の他、射出側偏光板４４２Ｂ、位相差板、色補正膜等が例示できる。
【００６６】
前記実施形態では、偏光板保持枠４４６１における回転案内面４４６１Ｂ２は、第１保持枠突出部４４６１Ｂの第１曲面４４６１Ｂ１に対向する端面に形成されていたが、これに限らず、その他の位置に形成してもよい。例えば、第１板状部材４４６１Ａの光束射出側端面から突出する突出部を形成し、この突出部の突出方向に沿う端面に回転案内面を形成する。そして、補正板保持枠４４６２に前記突出部に対応する孔を形成し、この孔の内周縁を前記回転案内面と当接する第２曲面とする。
前記実施形態では、偏光板保持枠４４６１に第１曲面４４６１Ｂ１および回転案内面４４６１Ｂ２を形成し、補正板保持枠４４６２に第２曲面４４６２Ｂ４を形成していたが、これに限らない。例えば、補正板保持枠４４６２に前記実施形態で説明した第１曲面４４６１Ｂ１と、補正板保持枠４４６２の第２板状部材４４６２Ａの光束入射側端面から突出する突出部とを形成し、この突出部の突出方向に沿う端面に回転案内面を形成する。そして、偏光板保持枠４４６１に前記突出部に対応する孔を形成し、この孔の内周縁を前記回転案内面と当接する第２曲面とする。
【００６７】
前記実施形態では、調整部材としてドライバＤＲを採用したが、これに限らない。すなわち、調整部材としては、棒状の部材であればよい。このような構成では、ドライバＤＲに限らず、種々の棒状の部材にて光学部品の位置調整を実施できるので、光学部品の位置調整をさらに容易に実施できる。
前記実施形態では、偏光板保持枠４４６１および補正板保持枠４４６２をドライバＤＲ等を用いて手動にて移動させる構成を説明したが、専用の光軸調整治具を用いて実施してもよい。すなわち、入射側偏光板４４２Ａおよび視野角補正板４４４の位置調整の程度に応じて、ドライバＤＲ等を用いて手動にて実施するか、または、専用の光軸調整治具を用いて実施するかを適宜選択すればよい。なお、偏光板保持枠４４６１を光軸調整治具により移動させる場合には、偏光板保持枠４４６１の係合部４４６１Ａ４に光軸調整治具の一部を係合させればよい。また、補正板保持枠４４６２を光軸調整治具により移動させる場合には、補正板移動操作部４４６２Ｂ３と光軸調整治具の一部を係合させてもよいし、補正板保持枠４４６２に係合部４４６１Ａ４と同様の係合部を形成し、該係合部に光軸調整治具の一部を係合させる構成としてもよい。
【００６８】
前記実施形態では、固定部材としてねじ４４６３を採用し、固定用孔４４７１Ｂが螺合構造を有する構成を説明したが、これに限らない。例えば、固定部材としてピン状の部材を採用し、固定用孔４４７１Ｂとしては、このピン状の部材と嵌合する形状を有するように構成してもよい。この際、ピン状の部材を偏光板保持枠４４６１および補正板保持枠４４６２の各トラック孔４４６１Ｂ３，４４６２Ｂ５を介して固定用孔４４７１Ｂに嵌合した状態で、入射側偏光板４４２Ａおよび視野角補正板４４４の位置調整を実施する。そして、入射側偏光板４４２Ａまたは視野角補正板４４４の位置調整後に、接着剤等により上部筐体４７２に偏光板保持枠４４６１を接着固定するとともに、偏光板保持枠４４６１に補正板保持枠４４６２を接着固定する。
【００６９】
前記実施形態では、３つの液晶パネル４４１を用いたプロジェクタ１を説明したが、これに限らない。例えば、１つの液晶パネルのみを用いたプロジェクタ、２つの液晶パネルを用いたプロジェクタ、あるいは、４つ以上の液晶パネルを用いたプロジェクタにも適用可能である。
前記実施形態では、光学ユニット４は、平面視略Ｕ字状の形状を有していたが、その他の形状を採用してもよく、例えば、平面視略Ｌ字状の形状としてもよい。
【００７０】
前記実施形態では、光入射面と光射出面とが異なる透過型の光変調装置を用いたが、光入射面と光射出面とが同一となる反射型の光変調装置を用いてもよい。
前記実施形態では、スクリーンを観察する方向から投写を行うフロントタイプのプロジェクタの例のみを説明したが、本発明では、スクリーンを観察する方向とは反対側から投写を行うリアタイプのプロジェクタにも適用可能である。
【００７１】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、形状、材質、数量、その他の詳細な構成において、当業者が様々な変形を加えることができるものである。
したがって、上記に開示した形状、材質などを限定した記載は、本発明の理解を容易にするために例示的に記載したものであり、本発明を限定するものではないから、それらの形状、材質などの限定の一部若しくは全部の限定を外した部材の名称での記載は、本発明に含まれるものである。
【産業上の利用可能性】
【００７２】
本発明の光学部品用筐体および光学装置は、小型化を図れかつ、製造コストの低減を図れるため、プレゼンテーションやホームシアター等の分野において利用されるプロジェクタに用いられる光学部品用筐体および光学装置として有用である。
【図面の簡単な説明】
【００７３】
【図１】本実施形態に係るプロジェクタの概略構成を示す図。
【図２】前記実施形態における光学ユニットを上方から見た斜視図。
【図３】前記実施形態における光学ユニットの光学系を模式的に示す図。
【図４】前記実施形態における位置調整機構を説明する図。
【図５】前記実施形態における位置調整機構を説明する図。
【図６】前記実施形態における位置調整機構を説明する図。
【図７】前記実施形態における偏光板保持枠を上方から見た斜視図。
【図８】前記実施形態における補正板保持枠を上方から見た斜視図。
【図９】前記実施形態における入射側偏光板および視野角補正板の位置調整を実施する様子を示す図。
【符号の説明】
【００７４】
１・・・プロジェクタ、４・・・光学ユニット（光学装置）、４６・・・投射レンズ（投射光学装置）、４７・・・光学部品用筐体、４１３・・・光源装置、４４１・・・液晶パネル（光変調装置）、４４２・・・偏光板、４４４・・・視野角補正板（光学補償手段）、４７１・・・下部筐体、４７２・・・上部筐体、４４６・・・光学部品保持枠、４４６１・・・偏光板保持枠（第１保持枠）、４４６１Ｂ１・・・第１曲面、４４６１Ｂ２・・・回転案内面、４４６１Ｂ３・・・トラック孔（長孔）、４４６１Ｂ５・・・切り欠き、４４６２・・・補正板保持枠（第２保持枠）、４４６２Ｂ３・・・移動操作部、４４６２Ｂ４・・・第２曲面、４４６２Ｂ５・・・トラック孔（長孔）、４４６３・・・ねじ（固定部材）、４４７１Ａ・・・光学部品保持枠支持面、４４７１Ｂ・・・固定用孔（固定部材取付部）、４４７２・・・調整部材先端支持部、ＤＲ・・・ドライバ（調整部材）。
【図１】
2005121880.tif 000003
【図２】
2005121880.tif 000004
【図３】
2005121880.tif 000005
【図４】
2005121880.tif 000006
【図５】
2005121880.tif 000007
【図６】
2005121880.tif 000008
【図７】
2005121880.tif 000009
【図８】
2005121880.tif 000010
【図９】
2005121880.tif 000011